(57)【要約】【課題】身障者、高齢者等でも簡便かつスピーディに装具を締着できる装具の締着装置及び締着金具並びにそれらを用いた医療用装具を提供する。【解決手段】身体の部位への装具の締着用に用いられる装具の締着装置１０ａ，１０ｂであり、装具本体２に取り付けられた長孔状の通し孔１８付きのホルダ部１２と、リンク体１６を介してホルダ部１２に連係し身体の部位を締着させるベルト体１４と、ホルダ部１２とベルト体１４間に介在するリンク体１６と、を有し、リンク体１６は、１つの軸杆部（３０）をホルダ部１２の通し孔１８に通した状態でホルダ部１２に保持される略コ字状の軸杆からなることを特徴とする装具の締着装置１０から構成される。【選択図】図１
0003128133.tif 000002
【実用新案登録請求の範囲】
【請求項１】
身体の部位への装具の締着用に用いられる装具の締着装置であり、
装具本体に取り付けられた長孔状の通し孔付きのホルダ部と、
リンク体を介してホルダ部に連係し身体の部位を締着させるベルト体と、
ホルダ部とベルト体間に介在するリンク体と、を有し、
リンク体は、１つの軸杆部をホルダ部の通し孔に通した状態でホルダ部に保持される略コ字状の軸杆からなることを特徴とする装具の締着装置。
【請求項２】
リンク体は、内外を連通する開口に連続する間隙をあけて平行に対峙する２つの対向軸杆部と交差軸杆部とからなるコ字状軸杆であって、この開口を介してベルト体が厚み側から幅方向に移動されて挿脱自在に挿入されてリンク体に係合することを特徴とする請求項１記載の装具の締着装置。
【請求項３】
少なくともベルト体が係合する側の対向軸杆部には、コ字状軸杆の内部側に挿入したベルト体が間隙から離脱するのを防止する突設部が設けられていることを特徴とする請求項２記載の装具の締着装置。
【請求項４】
突設部は、２つの対向軸杆部から相互に対向方向に突設されていることを特徴とする請求項３記載の装具の締着装置。
【請求項５】
対向軸杆部の先端外面側または突設部の外面側にはベルト体のコ字状軸杆の内部側への挿入方向に向けて先端側を対向させる方向に傾斜する傾斜壁が設けられていることを特徴とする請求項２ないし４のいずれかに記載の装具の締着装置。
【請求項６】
装具は下肢装具であり、
リンク体は、ホルダ部の通し孔に対向軸杆部の１つを通して上部側にベルト体の挿入用開口が配置される状態でホルダ部に保持されることを特徴とする請求項２ないし５のいずれかに記載の装具の締着装置。
【請求項７】
突設部を介してホルダ部の通し孔に通された対向軸杆部の１つがホルダ部に保持されることを特徴とする請求項２ないし６のいずれかに記載の装具の締着装置。
【請求項８】
請求項１ないし７のいずれかに記載の装具の締着装置のリンク体であって、金属で一体的に形成されていることを特徴とする締着金具。
【請求項９】
請求項１ないし７のいずれかに記載の装具の締着装置又は請求項８記載の締着金具を用いた医療用装具。
【考案の詳細な説明】
【技術分野】
【０００１】
本考案は、例えば、上肢、下肢、体幹等の身体の所定患部位に装具を簡便に締着できる装具の締着装置及び締着金具並びにそれらを用いた医療用装具に関する。
【背景技術】
【０００２】
病気や怪我により上下肢等の身体の一部の機能が低下したり、失われた際には、それらの患部の機能の補助や治療のために患部に対応した装具が装着される。例えば、脳卒中の後遺症等で片麻痺となった患者は、自分の意志で麻痺した側の下肢を自由に曲げ伸ばし等することが困難となり、時として歩行時に患側下肢を前に振り出す際に（遊脚期に）つま先が地面に引っかかってしまってうまく歩行できなくなる。このような症状に対して例えば、特許文献１の短下肢装具等の各種の下肢装具が用いられる。特許文献１記載の短下肢装具は、プラスチック製等の本体１により下腿三頭筋筋腱移行部から足尖部までを全体的に覆い包み込んで患肢に装着し、該本体１の足背部、下腿部前面とその直上部とに対応した位置に固定されたベルト１０、１１、１２及びその止め具１０ａ，１１ａ，１２ａの締着具を介して患肢に固定される。この締着具は、足背部ではベルト１０と止め具１０ａに設けられた面ファスナ等により着脱自在に係止される。また下腿部前面とその直上部の位置の固定具では、止め具１１ａ、１２ａは、中央を孔貫通させて無端の矩形枠状に形成された角環を有しており、ベルト１１，１２を先端から該角環の孔に通係させてベルトの面ファスナ等により係止させて固定するものであった。
【特許文献１】実開平５−６５３１４号公報
【考案の開示】
【考案が解決しようとする課題】
【０００３】
しかしながら、例えば、短下肢装具を患者自身で装着する際には、前かがみの窮屈な姿勢での作業になるとともに、病気や怪我或いは高齢に伴う身体機能の衰えにより、角環のわずかな孔内にベルトをスムーズに通すことが困難で、短時間で装着することができなかった。特に、片麻痺等の患者の場合には、片手、片足ともに不自由になるため、麻痺のない健側の片手だけでベルトを操作して角環の孔内に通すこととなるので、作業が煩雑で装着時間もかかり、患者自身でスムーズに装具を装着することが困難な場合があった。また、下肢装具に限らず指や腕用の種々の装具でも上記のようなベルトと角環を有する止め具による締着構成が利用されているが、これらの場合でも同様に患者自身でスムーズに装着することが困難であるという問題があった。
【０００４】
本考案は、上記従来の課題に鑑みてなされたものであり、その一つの目的は、身障者、高齢者等でも簡便かつスピーディに装具を締着できる装具の締着装置及び締着金具並びにそれらを用いた医療用装具を提供することにある。
【課題を解決するための手段】
【０００５】
上記課題を解決するために本発明は、身体の部位への装具の締着用に用いられる装具の締着装置１０（１０ａ，１０ｂ）であり、装具本体２に取り付けられた長孔状の通し孔１８付きのホルダ部１２と、リンク体１６を介してホルダ部１２に連係し身体の部位を締着させるベルト体１４と、ホルダ部１２とベルト体１４間に介在するリンク体１６と、を有し、リンク体１６は、１つの軸杆部（３０）をホルダ部１２の通し孔１８に通した状態でホルダ部１２に保持される略コ字状の軸杆からなることを特徴とする装具の締着装置１０（１０ａ、１０ｂ）から構成される。
【０００６】
リンク体１６は、内外を連通する開口２８に連続する間隙３３をあけて平行に対峙する２つの対向軸杆部３０，３１と交差軸杆部３２とからなるコ字状軸杆であって、この開口２８を介してベルト体１４が厚み側から幅方向に移動されて挿脱自在に挿入されてリンク体１６に係合することとするとよい。
【０００７】
また、少なくともベルト体１４が係合する側の対向軸杆部３１には、コ字状軸杆の内部側に挿入したベルト体１４が間隙３３から離脱するのを防止する突設部３４が設けられていることとしてもよい。
【０００８】
また、突設部３４は、２つの対向軸杆部３０，３１から相互に対向方向に突設されていることとしてもよい。
【０００９】
また、対向軸杆部３０，３１の先端外面側または突設部３４の外面側にはベルト体１４のコ字状軸杆の内部側への挿入方向に向けて先端側を対向させる方向に傾斜する傾斜壁３６が設けられていることとしてもよい。
【００１０】
また、装具は下肢装具であり、リンク体１６は、ホルダ部１２の通し孔１８に対向軸杆部３０の１つを通して上部側にベルト体１４の挿入用開口２８が配置される状態でホルダ部１２に保持されることとしてもよい。基本的には、下部側にベルト体１４の挿入用開口２８が配置される状態でもよいが、上部側にベルト体１４の挿入用開口２８が配置される状態とすることにより、位置確認等が行いやすく使い勝手が良い。
【００１１】
また、突設部３４を介してホルダ部１２の通し孔１８に通された対向軸杆部３０、３１の１つがホルダ部に保持されることとしてもよい。すなわち、通し孔１８に通された対向軸杆部３０にも突設部３４を形成するとよい。
【００１２】
さらに、上記記載の装具の締着装置１０のリンク体であって、金属で一体的に形成されていることを特徴とする締着金具（１６）から構成される。締着金具は、例えば、金型に溶融金属を流し込んで一体形成してもよく、一本の棒部材を略コ字状に曲折して形成してもよく、その他任意の方法で製造してもよい。
【００１３】
さらに、本発明は、上記記載の装具の締着装置１０又は締着金具（１６）を用いた医療用装具１から構成される。
【考案の効果】
【００１４】
本考案の装具の締着装置によれば、身体の部位への装具の締着用に用いられる装具の締着装置であり、装具本体に取り付けられた長孔状の通し孔付きのホルダ部と、リンク体を介してホルダ部に連係し身体の部位を締着させるベルト体と、ホルダ部とベルト体間に介在するリンク体と、を有し、リンク体は、１つの軸杆部をホルダ部の通し孔に通した状態でホルダ部に保持される略コ字状の軸杆からなる構成であるから、ベルト体を略コ字状の軸杆からなるリンク体にコ字開口側から挿入することでベルト体とリンク体とを係合できるので、従来の角環のような環孔にベルトを先端部から挿入させるといった煩雑な操作を不要とし、比較的簡便かつ短時間に装具の締着操作を行なえる。その結果、例えば、片手だけでの締着操作を実現できるとともに、病気、怪我或いは高齢により手がある程度不自由な者でも、自身で楽に装具を締着できる。さらに、介助者等の他人が装具の締着操作を行う際にも便利である。さらに、単純な構造で、軽量、コンパクトに構成でき、低コストで製造できる。
【００１５】
また、リンク体は、内外を連通する開口に連続する間隙をあけて対峙する２つの対向軸杆部と交差軸杆部とからなるコ字状軸杆であって、この開口を介してベルト体が厚み側から幅方向に移動されて挿脱自在に挿入されてリンク体に係合することにより、リンク体の構成を具体的に実現するとともに、開口を介して簡便にベルト体をリンク体に係合させることができる結果、締着操作性を向上し、例えば、片手だけでの締着操作でもスムーズな装具の締着操作を実現できる。
【００１６】
また、少なくともベルト体が係合する側の対向軸杆部には、コ字状軸杆の内部側に挿入したベルト体が間隙から離脱するのを防止する突設部が設けられていることにより、ベルト体の連係操作を簡便に行えるコ字状の軸杆の構成でありながら、簡単な構造で、装具の締着時に不意にベルト体がリンク体から離脱するのを防止して、締着状態を良好に保持することができる。
【００１７】
また、突設部は、２つの対向軸杆部から相互に対向方向に突設されている構成とすることにより、開口幅を比較的狭くしつつ突設部がベルト体をより確実に受け止めて間隙からの離脱を防止しうる。また、対向軸杆部をベルト体係合側とホルダ部に保持される側とを区別する必要がないので、使い勝手が良いうえ製造もしやすい。
【００１８】
また、対向軸杆部の先端外面側または突設部の外面側にはベルト体のコ字状軸杆の内部側への挿入方向に向けて先端側を対向させる方向に傾斜する傾斜壁が設けられていることから、開口を介してベルト体の厚さ側からコ字状軸杆内部へ挿入させる際に、導入口を比較的広く確保することができ、ある程度ラフな位置合わせでもスムーズに開口から間隙内に誘導され、確実にベルト体をコ字状軸杆の内部に挿入させることができ、短時間での装具の締着を行わせうる。特に、例えば、２つの対向軸杆部から相互に対向内方向に突設部が突設される等により開口が狭い場合に有利である。
【００１９】
また、装具は下肢装具であり、リンク体は、ホルダ部の通し孔に対向軸杆部の１つを通して上部側にベルト体の挿入用開口が配置される状態でホルダ部に保持されることにより、前かがみ等の窮屈な姿勢での締着操作が必要となる下肢装具であっても、開口が上部側に配置されるので装着時に目で確認しやすく、ベルト体と挿入用開口との位置合わせを容易に行えてスムーズに締着操作が行える。さらに、リンク体の交差軸杆部によりベルト体の下方への落下、離脱を防止でき、良好な操作性及び装着保持を具現できる。
【００２０】
また、突設部を介してホルダ部の通し孔に通された対向軸杆部の１つがホルダ部に保持されることにより、簡単な構成で対向軸杆部のホルダ部への保持させる構成を実現できる。
【００２１】
さらに、上記の装具の締着装置のリンク体であって、金属で一体的に形成されていることを特徴とする締着金具から構成されるので、例えば、手がある程度不自由な身障者や高齢者でも簡便で短時間に締着できる装具の締着金具を具現できる。また、締着金具の大量生産が可能であり製造コストを低減できる。
【００２２】
さらに、本発明は、上記の装具の締着装置又は締着金具を用いた医療用装具であるから、例えば、手がある程度不自由な身障者や高齢者でも簡便で短時間に締着できる医療用装具を具現できる。
【考案を実施するための最良の形態】
【００２３】
以下、添付図面を参照しつつ本考案の装具の締着装置及び締着金具並びにそれらを用いた医療用装具の実施の形態について説明する。本考案の装具の締着装置及び締着金具は、例えば病気や怪我等により機能が低下した又は失われた身体の所定の患部へ医療用の装具を締着するのに用いられるものであり、また本考案はそれらを用いた医療用装具である。図１ないし図３は、本考案の一実施形態を示している。この実施形態では、医療用装具１は、例えば、片麻痺、下垂足、内反足等の治療や補助等の際に適応される短下肢装具の形態で説明している。
【００２４】
医療用装具１は、装具本体２を患部にあてがった状態で締着装置を用いて締着される。図１に示すように、本実施形態では、装具本体２は、例えば、患側の下腿部と足部とを同時にあてがうように全体的に略Ｌ字状に形成されたプラスチック等の硬質合成樹脂製の後方支柱型あるいはシューホーン型のものである。装具本体２は、下腿部の周面に背面から両側面に密着しつつ前面側を開放した横断面略Ｕ字状の下腿あてがい部２ａと、足部に底裏から両側面に密着しつつ上面側を開放した縦断面略コ字状の足あてがい部２ｂと、が連続状に一体形成されている。かかと部に対応した部分は孔が設けられており、装具本体２のあてがい状態でかかとが外部に露出するようになっている。本実施形態では、装具本体２は、下腿部の上部前面側と、足関節前面と、足背部と、のそれぞれの位置で締着する構成となっている。これらのうち下腿部の上部前面側と足関節前面の位置では、本実施形態に係る締着用の締着装置１０が設けられている。足背部位置の締着構成では、他の締着装置６０が用いられている。なお、本実施形態に係る締着装置１０が用いられる医療用装具１は、上記のものに限らず、患側下肢の両側に金属支柱が設けられたものや靴型を備えた他の形態の短下肢装具又は股装具、長下肢装具、膝装具等その他下肢装具、肩装具、肘装具、長対立装具、短対立装具、把持装具、手背屈装具、指装具等の上肢装具、頚椎装具、胸椎装具、腰椎装具、仙腸装具等の体幹装具等の任意の装具でもよい。
【００２５】
本実施形態において、装具本体２の下腿部の上部側前面に配置される装具の締着装置１０ａは、図１、図２に示すように、ホルダ部１２と、ベルト体１４と、リンク体１６と、を有している。そして装具本体２の断面略Ｕ字状の開放前面側において、一方の端部側にホルダ部１２及びホルダ部に保持されるリンク体１６が、他方の端部側にベルト体１４がそれぞれ支持されており、リンク体１６を介してベルト体１６をホルダ部１２に連係して下腿部を締着させる。ホルダ部１２は、縦方向に貫通方向となる長孔状の通し孔１８を有している。ホルダ部１２は、例えば、所要の幅の１つの帯部材を２つに折り重ねて構成されており、折り目部分に通し孔１８を形成しつつ他の重ね合わせ面部分を接着剤や縫合等により接合して設けられている。ホルダ部１２は、通し孔１８が前面側に配置される状態でリベット２０等の固定手段で装具本体２に固定されている。
【００２６】
ベルト体１４は、ある程度幅広で所要の長さと厚みを有した可撓性ベルト部材であり、一端側を自由端としつつ他端側をリベット２２等の固定手段により装具本体２のホルダ部と対向した側で固定されている。ベルト体１４は、リンク体を介してホルダ部と連係した際に装具本体２の下腿あてがい部２ａとともに下腿部の一部を巻き付き状に密着するカフベルトとなっている。ベルト体１４の内面側の下腿部前面にあてがわれる部分にはベルト体よりやや幅広い柔軟弾性素材のパッド部材２４が固定されている。ベルト体１４の外面側には、面ファスナ雌部材２６と雄部材２７が長手方向に直列状に配置されて縫着又は接着剤等により固定されている。ベルト体１４は、図３にも示すように、リンク体１６との係合時に先端側を折り返して面ファスナ雌雄部材２６，２７を重ね合わせて着脱自在に係止される。
【００２７】
リンク体１６は、図１、図２、図３に示すように、ホルダ部１２とベルト体１４との間に介在してベルト体１４を締着させる止め具であり、本実施形態では、例えば、金属で一体的に成形された締着金具である。リンク体１６は、略コ字状の軸杆からなり、具体的には、内外を連通する開口２８に連続する間隙３３をあけて平行に対峙する２つの対向軸杆部３０，３１と、それらに交差するように端部側を接続する交差軸杆部３２と、からなるコ字状軸杆からなる。間隙３３は開口２８を含むコ字状軸杆の内部空隙である。２つの対向軸杆部は略直線状にベルト体の幅より若干長く設けられており、それらのうち１つの対向軸杆部３０はホルダ部１２の通し孔１８に通されて、後述の突設部３４を介してリンク体１６をホルダ部１２に保持させる。他の対向軸杆部３１は、間隙３３に通係されるベルト体１４と巻着状に係合する（図３、二点鎖線１４参照）。リンク体１６は、上部側にベルト体１４の開口２８が配置される状態でホルダ部１２の通し孔１８に対向軸杆部３０を通してホルダ部１２に保持される。本実施形態では、交差軸杆部３２はコ字外部側に向けて凸状に曲成されており、２つの対向軸杆部３０，３１と一体的に形成されている。図２に示すように、開口２８はベルト体１４の挿入用開口であり、該開口２８を介してベルト体１４が厚み側、すなわちベルト体の長手方向に沿った外縁側から幅方向に移動されて挿脱自在に間隙３３内に挿入されてリンク体１６に係合する。このようにリンク体１６を略コ字状の軸杆で構成することにより、従来の角環のようにベルト体を先端から角環の孔内に通すといった煩雑な作業を必要とせず、例えば、位置が固定された状態のリンク体１６の開口２８へ向けて、ベルト体１４を幅方向に移動させるだけでベルト体１４がリンク体１６の間隙３３に通係されてリンク体１６と連係させることができる。その結果、操作性を向上し、片手だけでも簡便かつ短時間で締着操作を行うことができる。なお、本実施形態では、交差軸杆部３２は曲成されているが、図４に示すように直線状に形成されてもよい。また、リンク体は、コ字状に近い軸杆構成であればよく、Ｕ字状のものや対向軸杆部の長さが異なるものも含む。
【００２８】
２つの対向軸杆部３０，３１の先端側には、相互に対向内方向に突設された突設部３４、３４が設けられている。突設部３４，３４は、開口２８と略同じ位置に設けられており、対向軸杆部３０，３１の長手方向に対して直交方向に突設されている。突設部３４は、コ字状軸杆の内部側に挿入したベルト体１４が間隙３３から離脱するのを防止する。突設部はベルト体が外れるのを防ぐ、所謂かえし部として機能する。さらに、ホルダ部１２の通し孔１８に通される対向軸杆部３０の突設部３４は、該対向軸杆部３０がホルダ部１２の通し孔１８から離脱するのを防止してホルダ部１２の保持手段となる。よって、対向軸杆部３０，３１にそれぞれ係合するベルト体１４又はホルダ部１２の厚み側に係止される。これにより、例えば、歩行等の身体を動かした際に不意にベルト体１４がリンク体１６から外れてしまうことがなく装具の締着状態を確実に保持できるとともに、コ字状の軸杆でありながらベルト体及びリンク体の離脱防止構成を簡単な構造で実現できる。なお、突設部３４，３４は、対向軸杆部から対向内側向きに該対向軸杆部に対して直角状に突設されているものに限らず、図４に示すように鋭角方向に突設されていてもよい。また、図５、図６に示すように、コ字状軸杆の外部側に向けて突設されていてもよい。また、コ字状軸杆の開口２８よりも内側に設けられていても良い。突設部の突設方向はベルト体の間隙３３からの離脱を防止する態様であれば任意でよく、例えば、対向軸杆部と交差する方向であれば任意の方向、また対向軸杆部の全周方向に向けて突設されていてもよい。
【００２９】
２つの対向軸杆部３０，３１の先端外面側、すなわち開口２８側には、ベルト体１４のコ字状軸杆の内部側への挿入方向Ｄに向けて先端側を対向させる方向に傾斜する傾斜壁３６が設けられている。本実施形態では傾斜壁３６は突設部３４の外面側と一体的に形成されている。傾斜壁３６を突設部３４の外面側に一体的に設けると効率良い構造を実現できる。傾斜壁３６は、対向軸杆部３０，３１の外部側先端から突設部３４の対向した突設先端部に向けて略直線的に接続されて、コ字状軸杆の外部側から内部側に向けて次第に狭くなるテーパ状の誘導路を構成している。これにより、開口２８を介してベルト体１８の厚さ側から挿入させる際に、幅の狭い開口２８に対してベルト体のある程度ラフな位置合わせでも傾斜壁３６を介して円滑に開口２８から間隙３３に誘導され、確実にベルト体１４をコ字状軸杆の間隙に挿入させることができる。なお、傾斜壁は、直線的な面に限らずある程度湾曲した曲面でもよい。また、図６に示すように、突設部３４と傾斜壁３６とは一体的に設けなくてもよい。また、図７に示すように、傾斜壁を設けない態様としても良い。本実施形態では、２つの対向軸杆部３０，３１は、突設部３４、傾斜壁３６を含めて同じ構成であるので、ホルダ部の係合側とベルト体１４との係合側とを区別することなく用いることができる。
【００３０】
一方、足関節前面の締着装置１０ｂも上記締着装置１０ａと同じ構成でホルダ部１２と、ベルト体１４と、リンク体１６と、を有しており、同一部材には同一符号を付して詳細な説明を省略する。足関節前面の締着装置１０ｂは足関節前面に対応して斜めにベルト体１４が締着されるようにリンク体１６の開口２８側を上部側として傾斜された状態でホルダ部１２が設定されている。また、ベルト体の幅は比較的狭く、該ベルト体の幅に対応した大きさでリンク体１６が形成されている。
【００３１】
図１に示すように、足背部分の締着装置６０は、装具本体２の足あてがい部２ｂの上面開放部分に対応して、装具本体２の一方の端部側に面ファスナ雌部材６２を内面側に有するベルト６１の端部が固定され、他方の端部側にベルト６１の止め具としての面ファスナ雄部材６３が固定されており、ベルト６１の自由端部を止め具に着脱自在に係止して締着する。なお、足背部の締着装置も本考案に係る締着装置１０を適用してもよい。すなわち、１つの装具に複数の締着部位がある場合には、締着部位を全て本実施形態に係る締着装置１０で構成してもよく、本実施形態に係る締着装置１０と他の締着装置とを混ぜて構成してもよい。
【００３２】
本実施形態に係る短下肢装具１を装着する際には、装具本体２を下腿部から足部にかけてあてがい装着し、例えば、図２に示すように、下腿部上部側の締着装置１０ａのベルト体１４を片手で持って上に持ち上げ、ベルト体１４の厚み側をリンク体１６の開口２８に位置合わせしつつベルト体幅方向（下方）に移動させて、ベルト体１４を二点鎖線に示すようにリンク体１６のコ字状軸杆内部に挿入する。この際、傾斜壁３６が設けられているので、スムーズにベルト体を開口２８から間隙３３内に誘導して挿入させることができる。そして、図３に示すように、リンク体１６のコ字状軸杆の内部に通係された状態のベルト体１４の先端側を対向軸杆部３１から折り返して下腿部前面側で重ね合わせて面ファスナ（２６，２７）を介して係止する。これにより、例えば、従来の角環のようにベルト体を先端から環孔内に挿入するといった煩雑な作業を不要とし、片手だけで簡便かつスピーディに装具を締着することができる。同様に、足関節前面についても締着装置１０ｂを介して締着する。ベルト体がリンク体と係合した状態では、突設部３４によりベルト体１４の間隙３３からの離脱が防止され、締着状態が良好に保持される。さらに、足背部の締着装置６０のベルト６１を面ファスナ６２，６３を介して締着して、装具が患側下肢に締着される。例えば、図８は、脳卒中後遺症で右片麻痺（利き手側麻痺）の６人の患者に、従来の角環を介してベルトを締着させる短下肢装具と本実施形態に係る締着装置を用いた短下肢装具をそれぞれ装着するのにかかった時間を比較したデータを示している。なお、装具本体部分の構成は同一である。図８に示すように、患者全員が本実施形態に係る締着装置を用いた短下肢装具の方が装着にかかる時間を短縮できたことが確認できる。
【００３３】
以上説明した本考案の装具の締着装置は、上記した実施形態のみの構成に限定されるものではなく、実用新案登録請求の範囲に記載した本考案の本質を逸脱しない範囲において、任意の改変を行ってもよい。
【産業上の利用可能性】
【００３４】
本考案の装具の締着装置及び締着金具並びに医療用装具は、例えば、上肢装具、下肢装具、体幹装具等に好適に利用される。
【図面の簡単な説明】
【００３５】
【図１】本考案の実施形態に係る装具の締着装置及び締着金具並びに医療用装具の斜視図である。
【図２】図１の装具の締着装置の拡大及び作用説明図である。
【図３】締着装置の一部及び締着金具の拡大図である。
【図４】締着金具の他の形態の説明図である。
【図５】締着金具の他の形態の説明図である。
【図６】締着金具の他の形態の説明図である。
【図７】締着金具の他の形態の説明図である。
【図８】従来の角環を有する短下肢装具と本考案の実施形態に係る装具の締着装置を用いた短下肢装具の装着にかかる時間の比較データの説明図である。
【符号の説明】
【００３６】
１  医療用装具
２  装具本体
１０、１０ａ、１０ｂ    装具の締着装置
１２  ホルダ部
１４  ベルト体
１６  リンク体
１８  通し孔
２８  開口
３０、３１  対向軸杆部
３２  交差軸杆部
３３  間隙
３４  突設部
３６  傾斜壁
【図１】
0003128133.tif 000003
【図２】
0003128133.tif 000004
【図３】
0003128133.tif 000005
【図４】
0003128133.tif 000006
【図５】
0003128133.tif 000007
【図６】
0003128133.tif 000008
【図７】
0003128133.tif 000009
【図８】
0003128133.tif 000010